(57)【要約】【課題】特別なキー操作を行ったり、表示部を傾けたりすることなく、ユーザに正対した状態で視点の異なる表示内容を見せることができるようにする。【解決手段】制御部１は、折り畳み検出部１０、回動検出部１１、筐体動作検出部１２の検出結果に基づいて、表示部筐体１４に対して操作部筐体１３が２軸ヒンジ部を介して可動されたと判別した場合に、この筐体の可動状態に応じてタッチ画面ＴＳの表示内容を回転させたように視点の異なる表示内容に変更する表示制御を行う。【選択図】  図１
2011223448.tif 000002
【特許請求の範囲】
【請求項１】
表示部を備える第１筐体を有し、該第１筐体と第２筐体とを連結部を介して可動自在に連結して成る端末装置であって、
前記表示部を備える第１筐体に対して前記第２筐体が前記連結部を介して可動されたかを判別すると共に、その可動状態を判別する可動判別手段と、
前記可動判別手段により前記第１筐体に対して前記第２筐体が可動されたと判別された場合にその可動状態に応じて前記表示部の表示内容を視点の異なる表示内容に変更する表示制御を行う表示制御手段と、
を備えることを特徴とする端末装置。
【請求項２】
前記可動判別手段は、前記第１筐体に対して前記第２筐体が可動された場合に、その可動状態としてその動作量と動作方向のうち少なくともそのいずれかを判別する、
ようにしたことを特徴とする請求項１記載の端末装置。
【請求項３】
動作モードを切り替えるモード切替手段を更に備え、
前記表示制御手段は、前記モード切替手段により所定の動作モードに切り替えられている場合には、前記可動状態に応じて視点の異なる表示内容に変更する表示制御を行い、該所定の動作モード以外の動作モードに切り替えられている場合には、該表示制御とは異なる表示制御を行う、
ようにしたことを特徴とする請求項１記載の端末装置。
【請求項４】
前記第１筐体と第２筐体とが連結部を介して折り畳み自在に連結されている状態において、前記可動判別手段は、前記可動状態として前記第１筐体と前記第２筐体との折り畳み角度を判別し、
前記表示制御手段は、前記判別手段により判別された折り畳み角度に応じて前記表示部の表示内容を視点の異なる表示内容に変更する、
ようにしたことを特徴とする請求項１記載の端末装置。
【請求項５】
前記第１筐体と第２筐体とが連結部を介して回動自在に連結されている状態において、前記可動判別手段は、前記可動状態として第１筐体と第２筐体との回動角度を判別し、
前記表示制御手段は、前記判別手段により判別された回動角度に応じて前記表示部の表示内容を視点の異なる表示内容に変更する、
ようにしたことを特徴とする請求項１記載の端末装置。
【請求項６】
前記表示制御手段は、前記可動状態に応じて視点の異なる表示内容に変更する表示制御を行う場合に、前記表示部に表示されている所定のオブジェクトに対して該表示制御を行う、
ようにしたことを特徴とする請求項１記載の端末装置。
【請求項７】
前記表示部は、タッチパネルを配設することにより構成されたタッチ画面であり、このタッチ画面に表示されているオブジェクトの位置がタッチされた場合に、タッチされたオブジェクトを特定するオブジェクト特定手段を更に備え、
前記表示制御手段は、前記可動状態に応じて視点の異なる表示内容に変更する表示制御を行う場合に、前記オブジェクト特定手段により特定されたオブジェクトに対して表示制御を行う、
ようにしたことを特徴とする請求項６記載の端末装置。
【請求項８】
前記オブジェクト特定手段は、タッチされたオブジェクトを特定すると共に、そのタッチ位置を特定し、
前記表示制御手段は、前記可動状態に応じて視点の異なる表示内容に変更する表示制御を行う場合に、前記タッチ位置特定手段により特定されたタッチ位置を中心として前記特定されたオブジェクトに対して該表示制御を行う、
ようにしたことを特徴とする請求項７記載の端末装置。
【請求項９】
前記表示部は、タッチパネルを配設することにより構成されたタッチ画面であり、このタッチ画面の任意の位置がタッチされた場合に、そのタッチ位置を特定するタッチ位置特定手段を更に備え、
前記表示制御手段は、前記可動状態に応じて視点の異なる表示内容に変更する表示制御を行う場合に、前記タッチ位置特定手段により特定されたタッチ位置を中心としてその表示内容の全体に対して該表示制御を行う、
ようにしたことを特徴とする請求項１記載の端末装置。
【請求項１０】
前記表示部は、タッチパネルを配設することにより構成されたタッチ画面であり、このタッチ画面へのタッチ有無を特定するタッチ有無判別手段を更に備え、
前記表示制御手段は、前記タッチ有無判別手段によりタッチ有りが判別された場合に、前記視点の異なる表示内容に変更する表示制御を行い、タッチ無しが判別された場合に、前記視点の異なる表示内容に変更する表示制御を終了させる、
ようにしたことを特徴とする請求項１記載の端末装置。
【請求項１１】
コンピュータに対して、
表示部を備える第１筐体に対して可動自在に連結されている第２筐体が可動されたかを判別すると共に、その可動状態を判別する機能と、
前記第１筐体に対して前記第２筐体が可動されたと判別された場合にその可動状態に応じて前記表示部の表示内容を視点の異なる表示内容に変更する表示制御を行う機能と、
を実現させるためのプログラム。
【発明の詳細な説明】
【技術分野】
【０００１】
本発明は、複数の筐体を可動自在に連結して成る端末装置及びプログラムに関する。
【背景技術】
【０００２】
一般に、表示部に表示されている平面的なオブジェクトに対して角度（視点）を色々変えて見る場合に、画像送りキーなどを操作して画像を切り替え表示させることにより、視点の異なる画像を見るようにしているが、更に、従来では、特別なキー操作を行うことなく、筐体を傾ける（回転させる）だけで、視点の異なる画像を表示するようにした技術が知られている（特許文献１参照）。この先行技術にあっては、オブジェクト毎に、視点の異なる複数の画像を予め用意しておき、筐体の傾き角度を検出した際に、その角度に対応する画像を読み出すことにより、視点の異なる画像を表示するようにしている。
【先行技術文献】
【特許文献】
【０００３】
【特許文献１】特開２００２−２９８１６０号公報
【発明の概要】
【発明が解決しようとする課題】
【０００４】
しかしながら、上述した先行技術にあっては、表示部を備える筐体を傾けると（回転させると）、それに合わせて表示部も一緒に回転してしまうため、ユーザにあっては斜めから表示内容を見ることになり、全体的に見づらく、見間違えも起こり易くなる、という問題が残る。
【０００５】
本発明の課題は、特別なキー操作を行ったり、表示部を傾けたりすることなく、ユーザに正対した状態で視点の異なる表示内容を見せることができるようにすることである。
【課題を解決するための手段】
【０００６】
上述した課題を解決するために請求項１記載の発明は、
表示部を備える第１筐体を有し、該第１筐体と第２筐体とを連結部を介して可動自在に連結して成る端末装置であって、
前記表示部を備える第１筐体に対して前記第２筐体が前記連結部を介して可動されたかを判別すると共に、その可動状態を判別する可動判別手段と、
前記可動判別手段により前記第１筐体に対して前記第２筐体が可動されたと判別された場合にその可動状態に応じて前記表示部の表示内容を視点の異なる表示内容に変更する表示制御を行う表示制御手段と、
を備えることを特徴とする。
【０００７】
請求項１に従属する発明として、
前記可動判別手段は、前記第１筐体に対して前記第２筐体が可動された場合に、その可動状態としてその動作量と動作方向のうち少なくともそのいずれかを判別する、
ようにしたことを特徴とする、請求項２記載の発明であってもよい。
【０００８】
請求項１に従属する発明として、
動作モードを切り替えるモード切替手段を更に備え、
前記表示制御手段は、前記モード切替手段により所定の動作モードに切り替えられている場合には、前記可動状態に応じて視点の異なる表示内容に変更する表示制御を行い、該所定の動作モード以外の動作モードに切り替えられている場合には、該表示制御とは異なる表示制御を行う、
ようにしたことを特徴とする、請求項３記載の発明であってもよい。
【０００９】
請求項１に従属する発明として、
前記第１筐体と第２筐体とが連結部を介して折り畳み自在に連結されている状態において、前記可動判別手段は、前記可動状態として第１筐体と第２筐体との折り畳み角度を判別し、
前記表示制御手段は、前記判別手段により判別された折り畳み角度に応じて前記表示部の表示内容を視点の異なる表示内容に変更する、
ようにしたことを特徴とする、請求項４記載の発明であってもよい。
【００１０】
請求項１に従属する発明として、
前記第１筐体と第２筐体とが連結部を介して回動自在に連結されている状態において、前記可動判別手段は、前記可動状態として第１筐体と第２筐体との回動角度を判別し、
前記表示制御手段は、前記判別手段により判別された回動角度に応じて前記表示部の表示内容を視点の異なる表示内容に変更する、
ようにしたことを特徴とする、請求項５記載の発明であってもよい。
【００１１】
請求項１に従属する発明として、
前記表示制御手段は、前記可動状態に応じて視点の異なる表示内容に変更する表示制御を行う場合に、前記表示部に表示されている所定のオブジェクトに対して該表示制御を行う、
ようにしたことを特徴とする、請求項６記載の発明であってもよい。
【００１２】
請求項６に従属する発明として、
前記表示部は、タッチパネルを配設することにより構成されたタッチ画面であり、このタッチ画面に表示されているオブジェクトの位置がタッチされた場合に、タッチされたオブジェクトを特定するオブジェクト特定手段を更に備え、
前記表示制御手段は、前記可動状態に応じて視点の異なる表示内容に変更する表示制御を行う場合に、前記オブジェクト特定手段により特定されたオブジェクトに対して表示制御を行う、
ようにしたことを特徴とする、請求項７記載の発明であってもよい。
【００１３】
請求項７に従属する発明として、
前記オブジェクト特定手段は、タッチされたオブジェクトを特定すると共に、そのタッチ位置を特定し、
前記表示制御手段は、前記可動状態に応じて視点の異なる表示内容に変更する表示制御を行う場合に、前記タッチ位置特定手段により特定されたタッチ位置を中心として前記特定されたオブジェクトに対して該表示制御を行う、
ようにしたことを特徴とする、請求項８記載の発明であってもよい。
【００１４】
請求項１に従属する発明として、
前記表示部は、タッチパネルを配設することにより構成されたタッチ画面であり、このタッチ画面の任意の位置がタッチされた場合に、そのタッチ位置を特定するタッチ位置特定手段を更に備え、
前記表示制御手段は、前記可動状態に応じて視点の異なる表示内容に変更する表示制御を行う場合に、前記タッチ位置特定手段により特定されたタッチ位置を中心としてその表示内容の全体に対して該表示制御を行う、
ようにしたことを特徴とする、請求項９記載の発明であってもよい。
【００１５】
請求項１に従属する発明として、
前記表示部は、タッチパネルを配設することにより構成されたタッチ画面であり、このタッチ画面へのタッチ有無を特定するタッチ有無判別手段を更に備え、
前記表示制御手段は、前記タッチ有無判別手段によりタッチ有りが判別された場合に、前記視点の異なる表示内容に変更する表示制御を行い、タッチ無しが判別された場合に、前記視点の異なる表示内容に変更する表示制御を終了させる、
ようにしたことを特徴とする、請求項１０記載の発明であってもよい。
【００１６】
また、上述した課題を解決するために請求項１１記載の発明は、
コンピュータに対して、
表示部を備える第１筐体に対して可動自在に連結されている第２筐体が可動されたかを判別すると共に、その可動状態を判別する機能と、
前記第１筐体に対して前記第２筐体が可動されたと判別された場合にその可動状態に応じて前記表示部の表示内容を視点の異なる表示内容に変更する表示制御を行う機能と、
を実現させるためのプログラム、であることを特徴とする。
【発明の効果】
【００１７】
本発明によれば、特別なキー操作を行ったり、表示部を傾けたりすることなく、ユーザに正対した状態で視点の異なる表示内容を見せることができ、利便性を向上させることができる。
【図面の簡単な説明】
【００１８】
【図１】端末装置として適用した携帯電話機の基本的な構成要素を示したブロック図。
【図２】オブジェクト記憶部ＯＭを説明するための図。
【図３】（１ａ）〜（１ｅ）、（２ａ）〜（２ｃ）は、タッチ画面ＴＳをユーザに正対した状態において、表示部筐体（第１筐体）に対して操作部筐体（第２筐体）を、２軸ヒンジ部（連結部）を介して可動させた状態を説明するための図。
【図４】電源投入に応じて実行開始される携帯電話機の全体動作の概要（本実施形態の特徴的な動作）を説明するためのメインのフローチャート。
【図５】図４の動作に続くフローチャート。
【図６】回転表示処理（図４のステップＡ１２、図５のステップＡ２０）を詳述するためのフローチャート。
【図７】実施形態の変形例において（１ａ）〜（１ｅ）、（２ａ）〜（２ｃ）は、タッチ画面ＴＳをユーザに正対した状態において、表示部筐体（第１筐体）に対して操作部筐体（第２筐体）を、２軸ヒンジ部（連結部）を介して可動させた状態を説明するための図。
【図８】実施形態の変形例において回転表示処理（図４のステップＡ１２、図５のステップＡ２０）を詳述するためのフローチャート。
【発明を実施するための形態】
【００１９】
図１〜図６を参照して本発明の実施形態を説明する。
本実施形態は、端末装置として携帯電話機に適用した場合を例示したもので、図１は、携帯電話機の基本的な構成要素を示したブロック図である
携帯電話機は、例えば、２つの筐体（操作部筐体、表示部筐体）を折り畳み自在及び回動自在に取り付けた２軸ヒンジタイプの携帯電話機であり、音声通話機能、電子メール機能、インターネット接続機能（Ｗｅｂアクセス機能）、カメラ機能などを備えている。そして、携帯電話機は、無線通信網（図示省略）を介して他の携帯電話機（図示省略）との間で通話可能な状態となり、また、インターネット（図示省略）に接続されると、Ｗｅｂサイトをアクセスして閲覧可能となったり、所望するデータをダウンロード受信することが可能となったりする。
【００２０】
制御部１は、二次電池を備えた電源部２からの電力供給によって動作し、記憶部３内の各種のプログラムに応じてこの携帯電話機の全体動作を制御するもので、この制御部１には図示しないＣＰＵ（中央演算処理装置）やメモリなどが設けられている。記憶部３は、ＲＯＭ、ＲＡＭなどの内部メモリで、図示しないプログラム領域とデータ領域とを有し、この記憶部３内のプログラム領域には、後述する図４〜図６に示す動作手順に応じて本実施形態を実現するためのプログラムが格納されている。また、記憶部３内のデータ領域には、各種のフラグ情報、携帯電話機の動作に必要な各種の情報が記憶されているほか、後述するオブジェクト記憶部ＯＭを有している。なお、記憶部３は、例えば、ＳＤカード、ＩＣカードなど、着脱自在な可搬型メモリ（記録メディア）を含む構成であってもよく、あるいは図示しない所定の外部サーバ上に記憶部３が有する構成であってもよい。
【００２１】
操作部４は、ダイヤル入力、文字入力、コマンド入力などを行うもので、この操作部４には、図示しないが、通話用のオフフックキー、オンフックキーのほか、カメラ機能をオン／オフさせるキー、シャッタキーなどが設けられている。制御部１は、操作部４からの操作信号に応じた処理として、例えば、発信処理、電子メール受信処理、カメラ処理など、各種の処理を行う。表示部５は、例えば、高精細液晶あるいは有機ＥＬを使用し、例えば、待受画像、アイコン、日時情報のほか、テキストデータ、メール、Ｗｅｂページなどを表示するほか、カメラ機能の使用時にはライブビュー画像を表示するファインダ画面となる。表示部５の表面には、指の接触を検出する接触操作部（透明な接触センサ）６が積層配設されることによってタッチスクリーン（タッチ画面）ＴＳを構成している。なお、タッチ画面ＴＳを構成する接触操作部は、静電容量方式でも抵抗膜方式でもよく、また、接触の他に操作器具や指の押し込み（押圧）を検出可能する圧電方式であってもよいが、本実施形態では、人体接触を検出する静電容量方式を使用している。
【００２２】
無線通信部７は、図示しない無線部、ベースバンド部、多重分離部などを備え、例えば、音声通話機能、電子メール機能、インターネット接続機能の動作時に最寄りの基地局との間でデータの送受信を行うもので、通話機能の動作時にはベースバンド部の受信側から信号を取り込んで受信ベースバンド信号に復調して制御部１に与え、制御部１は、電話部８を介して通話用スピーカＳＰから音声出力させ、また、通話用マイクＭＣからの入力音声データを電話部８から取り込み、送信ベースバンド信号に符号化した後、ベースバンド部の送信側に与えてアンテナＡＴから発信出力させる。
【００２３】
撮像部９は、デジタルカメラ機能を構成する構成要素で、静止画撮影のほかに動画撮影も可能なもので、図示しないが、カメラレンズ部、撮像素子（例えば、ＣＣＤあるいはＣＭＯＳ）、画像信号処理部、アナログ処理部、圧縮伸張部、各種センサ部（測距センサ、光量センサなど）などを有している。折り畳み検出部１０、回動検出部１１は、２つの筐体（操作部筐体、表示部筐体）の可動状態を検出するもので、図１では図示省略したが、表示部筐体（第１筐体）に対して操作部筐体（第２筐体）が２軸ヒンジ部（連結部）を介して可動されたか否かを検出するようにしている。制御部１は、この筐体の可動状態に基づいて表示部５（タッチ画面ＴＳ）の表示内容を回転させたように視点の異なる表示内容に変更する表示制御を行うようにしている。
【００２４】
折り畳み検出部１０は、２つの筐体（操作部筐体、表示部筐体）の折り畳み状態（折り畳み角度を含む）を検出するもので、例えば、筐体内に埋め込まれている複数の磁気センサ（ホール素子）及び磁石を有する構成となっている。折り畳み検出部１０は、複数の折り畳み角度として、例えば、０°〜１５°（０°以上１５°未満）の範囲、１５°〜４５°（１５°以上４５°未満）の範囲、４５°〜７５°（４５°以上７５°未満）の範囲、７５°〜９０°（７５°以上９０°以下）の範囲を検出可能となっている。また、回動検出部１１は、操作部筐体と表示部筐体との回動状態（回動角度及び回動方向を含む）を検出するもので、例えば、筐体内に埋め込まれている複数の磁気センサ及び磁石を有する構成となっている。なお、回動検出部１１は、複数の回動角度として、例えば、０°〜１５°の範囲、１５°〜４５°の範囲、４５°〜７５°の範囲、７５°〜９０°の範囲を検出可能となっている。
【００２５】
筐体動作検出部１２は、操作部筐体、表示部筐体のうち、そのいずれが動かされたか（操作されたか）を検出するもので、例えば、筐体内に埋め込まれている複数の磁気センサ及び磁石を有する構成となっている。この筐体動作検出部１２からの検出結果に基づいて制御部１は、表示部筐体が固定された状態で操作部筐体が操作（折り畳み又は回動操作）されたかを判別するようにしている。なお、折り畳み検出部１０、回動検出部１１、筐体動作検出部１２は、上述のような磁気的な手段による検出に限らず、機械的、電気的、光学的な手段によって検出するようにしてもよい。
【００２６】
図２は、オブジェクト記憶部ＯＭを説明するための図である。
オブジェクト記憶部ＯＭは、撮像部９で撮像された撮影画像、ダウンロード受信した画像やドキュメントなどの各種のオブジェクトを記憶するもので、「ＩＤ」、「オブジェクト名」、「実データ」の各項目を有し、その内容はユーザ操作により任意に設定されたものである。「ＩＤ」は、オブジェクトを識別する一連番号であり、「オブジェクト名」は、ユーザ操作により任意に設定された名称である。「実データ」には、折り畳み角度に対応する実データ、すなわち、折り畳み角度が０°〜１５°の範囲、１５°〜４５°の範囲、４５°〜７５°の範囲、７５°〜９０°の範囲の実データが記憶されている。また、「実データ」には、正転（時計回り）方向の回動角度に対応する実データとして、回動角度が０°〜１５°の範囲、１５°〜４５°の範囲、４５°〜７５°の範囲、７５°〜９０°の範囲の実データが記憶され、更に、逆転（反時計回り）方向の回動角度に対応する実データとして、回動角度が０°〜１５°の範囲、１５°〜４５°の範囲、４５°〜７５°の範囲、７５°〜９０°の範囲の実データが記憶されている。
【００２７】
上述の折り畳み角度又は回動角度の０°〜１５°の範囲、１５°〜４５°の範囲、４５°〜７５°の範囲、７５°〜９０°の範囲に対応する実データは、同一のオブジェクトを、視点を変えてその角度で見た場合のオブジェクト（実データ）であり、折り畳み角度又は回動角度が０°〜１５°の実データは、通常の状態（回動させていない状態、つまり、ユーザに正対している状態）でオブジェクトを見た場合の実データである。また、折り畳み角度又は回動角度が１５°〜４５°の実データは、１５°〜４５°の視点からオブジェクトを見た場合の実データである。折り畳み角度又は回動角度が４５°〜７５°の実データは、４５°〜７５°の視点からオブジェクトを見た場合の実データである。折り畳み角度又は回動角度が７５°〜９０°の実データは、７５°〜９０°の視点からオブジェクトを見た場合の実データである。なお、角度は、これに限らず、例えば、５°単位、１０°単位などであってもよい。
【００２８】
図３は、タッチ画面ＴＳをユーザに正対した状態において、表示部筐体（第１筐体）に対して操作部筐体（第２筐体）を、２軸ヒンジ部（連結部）を介して可動させた状態を説明するための図である。
携帯電話機は、操作部４を備える直方体の操作部筐体１３と、タッチ画面ＴＳを備える直方体の表示部筐体１４と、この操作部筐体１３と表示部筐体１４とを開閉可能（折り畳み可能）及び回動可能に取り付ける２軸ヒンジ部１５を有する構成で、操作部筐体１３と表示部筐体１４とは、正転（時計回り）及び逆転（反時計回り）可能に取り付けられている。
【００２９】
図３（１ａ）、（２ａ）は、操作部筐体１３と表示部筐体１４との折り畳みを約１８０°に開いた状態のオープンスタイルを示している。このオープンスタイルにおいて操作部筐体１３と表示部筐体１４との折り畳みを完全に閉じた状態にすると、クローズスタイルとなる。また、オープンスタイルにおいて操作部筐体１３に対して表示部筐体１４、又は表示部筐体１４に対して操作部筐体１３を約１８０°に回転させて反転した状態から表示部筐体１４又は操作部筐体１３を折り畳むと、タッチ画面ＴＳが露出した状態のビュースタイルとなる。
【００３０】
図３（１ａ）、（２ａ）に示す折り畳みを開いた状態（オープンスタイル）では、操作部筐体１３と表示部筐体１４とが約１８０°に開いて操作部４及びタッチ画面ＴＳが露出した状態となり、タッチ画面ＴＳがユーザに正対している状態となる。図３（１ａ）、（２ａ）に示すようにタッチ画面ＴＳには、各種のオブジェクトが表示されており、図中、四角形や円形は、撮像部９で撮像された撮影画像、ダウンロード受信した画像やドキュメントなどのオブジェクトを示している。この四角形のオブジェクト内に付した＋印は、ユーザが接触したタッチ位置を示し（以下、同様）、制御部１は、タッチされたオブジェクトを、筐体の可動状態に基づいて視点の異なるオブジェクトに変更する表示制御を行う。つまり、所望するオブジェクト上をタッチすることにより該オブジェクトを制御対象視点の異なるオブジェクトに変更する制御対象として指定するようにしている。
【００３１】
図３（１ｂ）、（１ｃ）は、折り畳みを開いた状態（オープンスタイル）において操作部筐体１３をやや折り畳んだ状態を示している。すなわち、オープンスタイルでの操作部筐体１３の位置を基準とし、この基準位置での折り畳み角度（折り畳みの初期角度）を０°とすると、この基準位置から操作部筐体１３を約４５°に折り畳んだ状態、つまり、表示部筐体１４と操作部筐体１３とが約１３５°に開いている状態を示し、図３（１ｂ）は正面から見た図、また、図３（１ｃ）は側面から見た図である。
【００３２】
このように折り畳みの初期角度を基準として操作部筐体１３を約４５°に折り畳むと、タッチ画面ＴＳ内のオブジェクトは、操作部筐体１３の折り畳み角度（４５°）に応じて回転させたようにその折り畳み角度から見たオブジェクト（視点の異なるオブジェクト）に変更される。その結果、図３（１ｂ）に示すようにオブジェクトは、例えば、図中、タッチ位置（＋印）を通る横軸を中心にして上下方向に約４５°に回転させたような形態（例えば、オブジェクト底部が出現したような形態）となる。なお、図中、オブジェクト内の塗り潰し部分（グレー部分）は、オブジェクトの回転により新たに出現した部分を示している（以下、同様）。
【００３３】
図３（１ｄ）、（１ｅ）は、表示部筐体１４を固定した状態（タッチ画面ＴＳがユーザに正対している状態）において、図３（１ｂ）、（１ｃ）の状態よりも更に操作部筐体１３を折り畳んだ状態、つまり、折り畳みの初期角度約０°を基準として操作部筐体１３を約９０°に折り畳んだ状態を示し、図３（１ｄ）は正面から見た図、また、図３（１ｅ）は側面から見た図である。このように操作部筐体１３を約９０°に折り畳むと、タッチ画面ＴＳ内のオブジェクトは、操作部筐体１３の折り畳み角度（約９０°）に応じて回転させたようにその折り畳み角度から見たオブジェクト（視点の異なるオブジェクト）に変更される。その結果、図３（１ｄ）に示すようにオブジェクトは、例えば、図中、タッチ位置（＋印）を通る横軸を中心にして上下方向に約９０°に回転させたような形態（例えば、オブジェクト底部のみが見えるような形態）となる。
【００３４】
図３（２ｂ）、（２ｃ）は、折り畳みを開いた状態（オープンスタイル）において操作部筐体１３を回動させた状態を示している。すなわち、オープンスタイルでの操作部筐体１３の位置を基準とし、この基準位置での回動角度（回動の初期角度）を０°とすると、この基準位置から操作部筐体１３を約９０°に回動させた状態を示し、図３（２ｂ）は、図中、右方向（時計回り）に約９０°に回動させた状態を示した図、また、図３（２ｃ）は、図中、左方向（反時計回り）に約９０°に回動させた状態を示した図である。
【００３５】
このように操作部筐体１３を約９０°に回動させると、タッチ画面ＴＳ内のオブジェクトは、操作部筐体１３の回動角度（約９０°）に応じて回転させたようにその回動角度から見たオブジェクト（視点の異なるオブジェクト）に変更される。その結果、（２ｂ）、（２ｃ）に示すようにオブジェクトは、例えば、図中、タッチ位置（＋印）を通る縦軸を中心にして左右方向に約９０°に回転させたような形態（例えば、オブジェクト側面部のみが見えるような形態）となる。なお、図３（２ｂ）では、図３（２ａ）に示した四角形のオブジェクトの左側面部が見えるようになり、図３（２ｃ）では、図３（２ａ）に示した四角形のオブジェクトの右側面部が見えるようになる。
【００３６】
次に、本実施形態における携帯電話機の動作概念を図４〜図６に示すフローチャートを参照して説明する。ここで、これらのフローチャートに記述されている各機能は、読み取り可能なプログラムコードの形態で格納されており、このプログラムコードにしたがった動作が逐次実行される。また、ネットワークなどの伝送媒体を介して伝送されてきた上述のプログラムコードに従った動作を逐次実行することもできる。すなわち、記録媒体のほかに、伝送媒体を介して外部供給されたプログラム／データを利用して本実施形態特有の動作を実行することもできる。
【００３７】
図４及び図５は、電源投入に応じて実行開始される携帯電話機の全体動作の概要（本実施形態の特徴的な動作）を説明するためのメインのフローチャートである。
先ず、制御部１は、電源投入操作に応じてメモリなどをクリアする初期化処理を実行すると共に、待ち受け画像を表示させるなどの待ち受け状態となる（図４のステップＡ１）。この状態において、電話着信を検出したかを調べたり（ステップＡ２）、折り畳み検出部１０からの検出結果に基づいて折り畳み操作が行われたかを調べたり（ステップＡ９）、回動検出部１１からの検出結果に基づいて回動操作が行われたかを調べたり（図５のステップＡ１７）、回転表示モードのオン／オフ操作が行われたかを調べたり（ステップＡ２５）、その他の操作が行われたかを調べたりする（ステップＡ２９）。
【００３８】
いま、電話着信を検出したときには（図２のステップＡ２でＹＥＳ）、この着信に対する応答操作（オフフック操作）によって（ステップＡ３でＹＥＳ）、通話可能状態とする通話処理を開始させる（ステップＡ５）。また、オフフック操作が行われなければ（ステップＡ３でＮＯ）、折り畳み検出部１０からの検出結果に基づいて完全に折り畳んだ状態（折り畳み角度が０°の状態のクローズスタイル）から図３（１ａ）、（２ａ）で示した折り畳みを開いた状態（オープンスタイル）に変化したかを調べる（ステップＡ４）。ここで、着信検出時にオフフック操作を行わなくても（ステップＡ３でＮＯ）、折り畳みを開いたときには（ステップＡ４でＹＥＳ）、通話処理を開始させるが（ステップＡ５）、折り畳み状態のままであれば（ステップＡ４でＮＯ）、着信を拒否する場合や不在の場合であるから上述の着信有無をチェックするステップＡ２に戻る。
【００３９】
そして、通話中においてはオンフック操作が行われたかを調べたり（ステップＡ６）、折り畳み検出部１０からの検出結果に基づいて折り畳みを開いた状態（オープンスタイル）から完全に折り畳んだ状態（クローズスタイル）に変化したかを調べたりする（ステップＡ７）。いま、オンフック操作が行われたときには（ステップＡ６でＹＥＳ）、回線接続を遮断して通話を終了する終話処理を行い（ステップＡ８）、また、オンフック操作が行われなくても（ステップＡ６でＮＯ）、折り畳みを開いた状態から完全に折り畳んだ状態に変化したときには（ステップＡ７でＹＥＳ）、終話処理を行う（ステップＡ８）。その後、上述の着信有無をチェックするステップＡ２に戻る。
【００４０】
また、回転表示モードのオン／オフ操作が行われたときには（図５のステップＡ２５でＹＥＳ）、回転表示モードのオン操作であるかを調べ（ステップＡ２６）、オン操作であれば（ステップＡ２６でＹＥＳ）、回転表示モードに移行させる（ステップＡ２７）。ここで、回転表示モードとは、筐体の可動状態に基づいてタッチ画面ＴＳの表示内容を回転させたように視点の異なる表示内容に変更する表示制御を行う動作モードである。また、回転表示モードのオフ操作であれば（ステップＡ２６でＮＯ）、回転表示モードを終了させる（ステップＡ２８）。その後、上述の着信有無をチェックする図４のステップＡ２に戻る。また、その他の操作が行われたときには（図５のステップＡ２９でＹＥＳ）、操作に応じた処理として、オブジェクト記憶部ＯＭに任意のオブジェクトを設定する処理を行ったり、発信処理、メール送信処理などを行ったりした後（ステップＡ３０）、上述の着信有無をチェックする図４のステップＡ２に戻る。
【００４１】
いま、折り畳み検出部１０からの検出結果に基づいて折り畳み操作が行われたことを検出すると（図４のステップＡ９でＹＥＳ）、筐体動作検出部１２からの検出結果に基づいて、表示部筐体１４を固定した状態での操作部筐体１３の折り畳み操作が行われたかを調べる（ステップＡ１０）。いま、表示部筐体１４を固定した状態での折り畳み操作でなければ（ステップＡ１０でＮＯ）、ステップＡ１３に移り、折り畳み検出部１０からの検出結果に基づいて完全に折り畳んだ状態（折り畳み角度が約０°の状態のクローズスタイル）になったかを調べる。
【００４２】
ここで、完全に折り畳んだ状態を検出したときには（ステップＡ１３でＹＥＳ）、タッチ画面ＴＳを消灯する表示オフ処理を行った後（ステップＡ１４）、上述の着信有無をチェックするステップＡ２に戻る。また、完全に折り畳んだ状態ではなければ（ステップＡ１３でＮＯ）、折り畳み操作が完全な折り畳み状態（クローズスタイル）から折り畳みを開いた状態に変化させる操作であるかを調べ（ステップＡ１５）、それ以外の折り畳み操作であれば（ステップＡ１５でＮＯ）、今回の折り畳み操作を無効とするために上述の着信有無をチェックするステップＡ２に戻る。また、完全な折り畳み状態から折り畳みを開いた状態への操作であれば（ステップＡ１５でＹＥＳ）、タッチ画面ＴＳを点灯する表示オン処理を行った後（ステップＡ１６）、上述の着信有無をチェックするステップＡ２に戻る。
【００４３】
一方、表示部筐体１４を固定した状態で操作部筐体１３を折り畳む操作が行われた場合には（ステップＡ９でＹＥＳ）、現在の動作モードは上述の回転表示モードであるかを調べ（ステップＡ１１）、回転表示モードでなければ（ステップＡ１１でＮＯ）、上述と同様に折り畳み状態に応じてタッチ画面ＴＳをオン／オフする処理を行うが（ステップＡ１３〜Ａ１６）、回転表示モードであれば（ステップＡ１１でＹＥＳ）、後述する回転表示処理を実行した後（ステップＡ１２）、上述の着信有無をチェックするステップＡ２に戻る。
【００４４】
また、回動検出部１１からの検出結果に基づいて筐体を回動する回動操作が行われたことを検出したときには（図５のステップＡ１７でＹＥＳ）、筐体動作検出部１２からの検出結果に基づいて、表示部筐体１４を固定した状態で操作部筐体１３を回動した回動操作が行われたのかを調べる（ステップＡ１８）。いま、表示部筐体１４を固定した状態での回動操作でなければ（ステップＡ１８でＮＯ）、ステップＡ２１に移り、ビュースタイルに変更されたかを調べ、ビュースタイルへの変更ではなければ（ステップＡ２１でＮＯ）、今回の回動操作を無効とするために上述の着信有無をチェックする図４のステップＡ２に戻る。
【００４５】
また、ビュースタイルへの変更であれば（ステップＡ２１でＹＥＳ）、カメラ撮影モードに移行させた後（ステップＡ２２）、カメラ撮影処理に移り（ステップＡ２３）、カメラ撮影モードの終了を指示する終了操作が行われるまで（ステップＡ２４でＮＯ）、カメラ撮影処理を継続する（ステップＡ２３）。ここで、カメラ撮影モードの終了を指示する終了操作が行われると（ステップＡ２４でＹＥＳ）、上述の着信有無をチェックする図４のステップＡ２に戻る。
【００４６】
一方、表示部筐体１４を固定した状態で操作部筐体１３を回動した回動操作が行われた場合には（ステップＡ１８でＹＥＳ）、現在の動作モードは上述の回転表示モードであるかを調べる（ステップＡ１９）。いま、回転表示モードでなければ（ステップＡ１９でＮＯ）、上述と同様にビュースタイルであることを条件にカメラ撮影処理を行うが（ステップＡ２１〜Ａ２４）、回転表示モードであれば（ステップＡ１９でＹＥＳ）、後述する回転表示処理を実行した後（ステップＡ２０）、上述の着信有無をチェックする図４ステップＡ２に戻る。
【００４７】
図６は、回転表示処理（図４のステップＡ１２、図５のステップＡ２０）を詳述するためのフローチャートである。
先ず、制御部１は、操作部筐体１３の基準位置での折り畳み又は回動の初期角度を０°とする初期化処理を行った後（ステップＢ１）、操作部筐体１３の操作は、折り畳み操作であるかを調べ（ステップＢ２）、折り畳み操作であれば（ステップＢ２でＹＥＳ）、タッチ画面ＴＳへのタッチ有無を調べる（ステップＢ３）。
【００４８】
ここで、折り畳み操作が行われてから一定時間が経過してもタッチ画面ＴＳへのタッチ操作が行われなければ（ステップＢ３でＮＯ）、今回の操作部筐体１３の操作、つまり、表示部筐体１４を固定した状態での操作部筐体１３の折り畳み操作又は回動操作を無効とするために図６のフローから抜けるが、一定時間内にタッチ画面ＴＳへのタッチ操作が有れば（ステップＢ３でＹＥＳ）、タッチ画面ＴＳに表示されているオブジェクトがタッチされたか、つまり、オブジェクトへのタッチ操作によりそのオブジェクトを制御対象として特定可能かを調べる（ステップＢ４）。
【００４９】
いま、オブジェクト以外の位置がタッチされたときには、制御対象のオブジェクトの特定が不可能として（ステップＢ４でＮＯ）、上述のステップＢ３に戻るが、オブジェクト上がタッチされることによりそのオブジェクトを制御対象として特定可能であれば（ステップＢ４でＹＥＳ）、そのタッチ位置を検出すると共に（ステップＢ５）、折り畳み検出部１０からの検出結果に基づいて、折り畳みの初期角度の約０°を基準とした折り畳み角度を検出する（ステップＢ６）。例えば、図３（１ｂ）、（１ｃ）の場合には折り畳み角度として約４５°を検出し、図３（１ｄ）、（１ｅ）の場合には折り畳み角度として約９０°を検出する。
【００５０】
そして、この折り畳み角度に応じて上述の特定オブジェクトを上下方向に回転させたように視点の異なるオブジェクトに変更する表示制御を行う（ステップＢ７）。すなわち、例えば、図３（１ｂ）に示すようにタッチ位置（＋印）を通る横軸を中心にして上下方向に約４５°に回転させたようなオブジェクト、又は、図３（１ｄ）に示すようにタッチ位置（＋印）を通る横軸を中心にして上下方向に約９０°に回転させたようなオブジェクトを、オブジェクト記憶部ＯＭから読み出してタッチ画面ＴＳに表示させる。その後、図６のフローから抜ける。
【００５１】
また、操作部筐体１３の操作が回動操作であれば（ステップＢ２でＮＯ）、タッチ画面ＴＳへのタッチ有無を調べる（ステップＢ８）。ここで、回動操作が行われてから一定時間が経過してもタッチ画面ＴＳへのタッチ操作がなければ（ステップＢ８でＮＯ）、今回の操作部筐体１３の操作を無効とするために図６のフローから抜けるが、一定時間内にタッチ画面ＴＳへのタッチ操作が有れば（ステップＢ８でＹＥＳ）、タッチ画面ＴＳに表示されているオブジェクトがタッチされたか、つまり、オブジェクトへのタッチ操作によりそのオブジェクトを制御対象として特定可能かを調べる（ステップＢ９）。
【００５２】
いま、オブジェクト以外の位置がタッチされたときには、制御対象のオブジェクトの特定が不可能として（ステップＢ９でＮＯ）、上述のステップＢ８に戻るが、オブジェクト上がタッチされることによりそのオブジェクトを制御対象として特定可能であれば（ステップＢ９でＹＥＳ）、そのタッチ位置を検出すると共に（ステップＢ１０）、回動検出部１１からの検出結果に基づいて、回動の初期角度の約０°を基準とした回動角度を検出する（ステップＢ１１）。例えば、図３（２ｂ）、（２ｃ）の場合には回動角度として約９０°を検出する。そして、この回動方向として正転（時計回り）方向か逆転（反時計回り）方向かを検出する（ステップＢ１２）。
【００５３】
そして、この回動角度及び回動方向に応じて上述の特定オブジェクトを左右方向に回転させたように視点の異なるオブジェクトに変更する表示制御を行う（ステップＢ１３）。例えば、図３（２ｂ）、（２ｃ）に示すようにタッチ位置（＋印）を通る縦軸を中心にして左右方向に約９０°に回転させたようなオブジェクトを、オブジェクト記憶部ＯＭから読み出してタッチ画面ＴＳに表示させる。この場合、タッチ画面ＴＳ内の特定オブジェクトは、回動方向が正転（時計回り）方向か逆転（反時計回り）方向かに応じて異なる表示内容となる。その後、図６のフローから抜ける。
【００５４】
以上のように、この実施形態において制御部１は、折り畳み検出部１０、回動検出部１１、筐体動作検出部１２の検出結果に基づいて、表示部筐体１４に対して操作部筐体１３が２軸ヒンジ部１５を介して可動されたと判別した場合に、その筐体の可動状態に応じてタッチ画面ＴＳの表示内容を視点の異なる表示内容に変更する表示制御を行うようにしたので、特別なキー操作を行ったり、タッチ画面ＴＳを傾けたりすることなく、ユーザに正対した状態で視点の異なる表示内容を見せることができ、利便性を向上させることが可能となる。
【００５５】
折り畳み検出部１０、回動検出部１１の検出結果に基づいて筐体の折り畳み角度、回動角度、回動方向を得るようにしたので、筐体の折り畳み角度、回動角度、回動方向に合わせてオブジェクトを視点の異なる表示内容に変更することができる。
【００５６】
所定の動作モード（回転表示モード）に切り替えられている場合には、筐体の可動状態に応じて視点の異なる表示内容に変更する表示制御を行い、回転表示モード以外の動作モードに切り替えられている場合には、該表示制御とは異なる表示制御を行うようにしたので、筐体の可動状態に基づいて視点の異なる表示内容に変更する表示制御を行うことができるほか、筐体の可動状態に基づいて表示オフ処理や表示オン処理又は撮影処理を行うことができる。
【００５７】
折り畳み検出部１０に基づいて筐体の折り畳み角度を得るようにしたので、折り畳み角度に合わせてオブジェクトを視点の異なる表示内容に変更することができ、折り畳み角度と表示の回転量（視点の位置）とを合わせることができる。
【００５８】
回動検出部１１に基づいて筐体の回動角度を得るようにしたので、回動角度に合わせてオブジェクトを視点の異なる表示内容に変更することができ、回動角度と表示の回転量（視点の位置）とを合わせることができる。
【００５９】
タッチ画面ＴＳに表示されている所定のオブジェクトに対して表示制御を行うようにしたので、所定のオブジェクトだけを視点の異なる表示内容に変更することができる。
【００６０】
タッチ画面ＴＳに表示されているオブジェクトがタッチされた場合に、そのオブジェクトに対して視点の異なる表示内容に変更する表示制御を行うようにしたので、所望するオブジェクトを表示制御の対象として容易に選択することができるほか、ユーザが所望するオブジェクトだけを視点の異なる表示内容に変更することができる。
【００６１】
タッチ画面ＴＳに表示されているオブジェクトがタッチされた場合に、そのタッチ位置を中心としてそのオブジェクトに対して視点の異なる表示内容に変更する表示制御を行うようにしたので、ユーザにあってはタッチ位置をどこにするかにより変化に富んだオブジェクトを見ることができる。
【００６２】
また、タッチ画面ＴＳに表示されているオブジェクトがタッチされている場合には、視点の異なる表示内容に変更する表示制御を行い、タッチされていない場合には、視点の異なる表示内容に変更する表示制御を終了するようにしたので、タッチ画面ＴＳをタッチしないで、筐体を可動したとしても、視点の異なる表示内容に変更する表示制御を行わないようにすることができる。
【００６３】
なお、上述した実施形態においては、タッチ画面ＴＳに表示されているオブジェクトがタッチされた場合に、そのタッチ位置を中心としてそのオブジェクトに対して視点の異なる表示内容に変更する表示制御を行うようにしたが、タッチ位置を中心としてタッチ画面ＴＳの表示内容の全体を視点の異なる表示内容に変更する表示制御を行うようにしてもよい。
【００６４】
図７及び図８は、上述した実施形態の変形例として、タッチ位置を中心として表示内容の全体を視点の異なる表示内容に変更する表示制御を行う場合を説明するための図である。
図７は、基本的には図３と同様であり、図７（１ａ）〜（１ｅ）は、図３（１ａ）〜（１ｅ）と対応し、図７（２ａ）〜（２ｃ）は、図３（２ａ）〜（２ｃ）と対応した図であるが、図７（１ｂ）、（１ｄ）と図３（１ｂ）、（１ｄ）とでは、それぞれ表示内容が相違し、また、図７（２ｂ）、（２ｃ）と図３（２ｂ）、（２ｃ）とでは、それぞれ表示内容が相違している。
【００６５】
すなわち、図７（１ａ）、（２ａ）は、折り畳みを開いた状態（オープンスタイル）を示し、図中、＋印は、タッチ位置である。図７（１ｂ）、（１ｃ）は、操作部筐体１３を約４５°に折り畳んだ状態を示し、タッチ画面ＴＳの表示内容の全体は、折り畳み角度（４５°）に応じて回転させたようにその折り畳み角度から見た表示内容（視点の異なる表示内容）に変更される。その結果、複数のオブジェクトが表示されている場合には、複数のオブジェクトに対して表示制御を行うため、図３（１ｂ）の場合とは異なり、図７（１ｂ）では、四角形のオブジェクトと共に円形のオブジェクトもその折り畳み角度から見たオブジェクトに変更される。
【００６６】
図７（１ｄ）、（１ｅ）は、操作部筐体１３を約９０°に折り畳んだ状態を示し、タッチ画面ＴＳの表示内容の全体は、折り畳み角度（９０°）に応じて回転させたようにその折り畳み角度から見た表示内容（視点の異なる表示内容）に変更される。その結果、図３（１ｄ）、（１ｅ）の場合とは異なり、図７（１ｄ）、（１ｅ）では、四角形のオブジェクトと共に他のオブジェクト（元の円形オブジェクト）もその折り畳み角度から見たオブジェクトに変更される結果、矩形オブジェクトとなる。
【００６７】
図７（２ｂ）、（２ｃ）は、オープンスタイルにおいて操作部筐体１３を回動させた状態を示し、すなわち、操作部筐体１３を約９０°に回動させた状態を示し、図７（２ｂ）は、図中、右方向（時計回り）に約９０°に回動させた状態を示し、図３（７ｃ）は、図中、左方向（反時計回り）に約９０°に回動させた状態を示した図である。このように操作部筐体１３を約９０°に回動させると、タッチ画面ＴＳの表示内容の全体は、回動角度（約９０°）に応じて回転させたようにその回動角度から見たオブジェクト（視点の異なるオブジェクト）に変更される。その結果、図３（１ｄ）、（１ｅ）の場合とは異なり、図７（１ｄ）、（１ｅ）では、四角形のオブジェクトと共に他のオブジェクト（元の円形オブジェクト）もその回動角度から見たオブジェクトに変更される結果、矩形オブジェクトとなる。
【００６８】
図８は、上述した実施形態の変形例における回転表示処理（図４のステップＡ１２、図５のステップＡ２０）を詳述するためのフローチャートで、図６のフローチャートと基本的には同様である。すなわち、図８では、図６のステップＢ４、Ｂ９を有しない点と、ステップＢ７、Ｂ１３の回転制御の内容が異なる点とがそれぞれ相違するだけであり、その他は図６と同様であるために、以下、図８のフローチャートを簡単に説明するものとする。
先ず、制御部１は、折り畳み又は回動の初期角度を０°とする初期化処理を行った後（ステップＣ１）、操作部筐体１３の操作が折り畳み操作であれば（ステップＣ２でＹＥＳ）、タッチ画面ＴＳへのタッチ有無を調べる（ステップＣ３）。ここで、タッチ操作が有れば（ステップＣ３でＹＥＳ）、そのタッチ位置を検出すると共に（ステップＣ４）、折り畳み角度を検出した後（ステップＣ５）、タッチ位置を中心として、タッチ画面ＴＳの表示内容の全体を折り畳み角度に応じて上下方向に回転させたように視点の異なる表示内容に変更する表示制御を行う（ステップＣ６）。
【００６９】
また、操作部筐体１３の操作が回動操作であれば（ステップＣ２でＮＯ）、タッチ画面ＴＳへのタッチ有無を調べる（ステップＣ７）。ここで、タッチ操作が有れば（ステップＣ７でＹＥＳ）、そのタッチ位置を検出すると共に（ステップＣ８）、回動角度を検出した後（ステップＣ９）、回動方向を検出する（ステップＣ１０）。そして、タッチ位置を中心として、タッチ画面ＴＳの表示内容の全体を回動角度及び回動方向に応じて左右方向に回転させたように視点の異なるオブジェクトに変更する表示制御を行う（ステップＣ１１）。
【００７０】
このようにタッチ位置を中心として、タッチ画面ＴＳの表示内容の全体を視点の異なる表示内容に変更する表示制御を行うようにすれば、任意の位置をタッチするだけでその位置を中心として表示内容の全体に対する表示制御が可能となり、ユーザにあっては変化に富んだ表示を見ることができる。
【００７１】
また、上述した実施形態においては、折り畳み又は回動の初期角度の約０°を基準とした折り畳み角度や回動角度を検出するようにしたが、折り畳み角度や回動角度は、初期角度を基準としたものではなく、操作部筐体１３と表示部筐体１４との開き角度を検出するようにしてもよい。
【００７２】
また、上述した実施形態においては、オブジェクト記憶部ＯＭに折り畳み角度、回動角度に対応して視点の異なるオブジェクトを予め複数記憶しておくようにしたが、３次元オブジェクトに画像処理を施して３次元オブジェクトを回転させることにより、視点の異なるオブジェクトを生成して表示させる表示制御を行うようにしてよい。
【００７３】
また、上述した実施形態においては、回転表示モードのオン／オフ操作が行われた場合に、オン操作であれば、回転表示モードに移行させ、オフ操作であれば、回転表示モードを終了させるようにしたが、表示部筐体１４を固定した状態で操作部筐体１３を折り畳む操作とタッチ画面ＴＳへのタッチ操作とが行われた場合に、回転表示モードに移行させ、タッチ操作が解除された場合に、回転表示モードを終了させるようにしてもよい。同様に、表示部筐体１４を固定した状態で操作部筐体１３を回動する回動操作とへのタッチ操作とが行われた場合に、回転表示モードに移行させ、タッチ操作が解除された場合に、回転表示モードを終了させるようにしてもよい。
【００７４】
また、上述した実施形態においては、２軸ヒンジタイプの携帯電話機に適用した場合を示したが、折り畳みタイプ、スライドタイプ、スピントップタイプなど任意の筐体構造であってもよい。その他、携帯電話機に限らず、パーソナルコンピュータ、ＰＤＡ、デジタルカメラ、音楽プレイヤーなどであってもよい。
【００７５】
また、上述した実施形態において示した“装置”や“機”とは、機能別に複数の筐体に分離されていてもよく、単一の筐体に限らない。また、上述したフローチャートに記述した各ステップは、時系列的な処理に限らず、複数のステップを並列的に処理したり、別個独立して処理したりするようにしてもよい。
【符号の説明】
【００７６】
１  制御部
３  記憶部
４  操作部
１０  折り畳み検出部
１１  回動検出部
１２  筐体動作検出部
１３  操作部筐体
１４  表示部筐体
１５  ２軸ヒンジ部
ＴＳ  タッチ画面
ＯＭ  オブジェクト記憶部
【図１】
2011223448.tif 000003
【図２】
2011223448.tif 000004
【図３】
2011223448.tif 000005
【図４】
2011223448.tif 000006
【図５】
2011223448.tif 000007
【図６】
2011223448.tif 000008
【図７】
2011223448.tif 000009
【図８】
2011223448.tif 000010